(57)【要約】【課題】施工を容易としつつ、基礎の断熱性を長期に亘って維持する。【解決手段】基礎スラブ１の側部を覆う下側断熱材６３と、鋼材基礎２の側部を覆う上側断熱材６０とによって、鋼材基礎２と基礎スラブ１とによって構成される基礎と、外気や地盤Ｙとを断熱する基礎断熱体６を形成する。また、下側断熱材６３の上端面を、基礎スラブ１の上端面１ａに一致させる。基礎断熱体６は、基礎スラブ１の側部を覆う下側断熱材６３の上端部に上側断熱材６０を載置することで形成されるので、鋼材基礎２及び基礎スラブ１を、外気や地盤Ｙ等から極めて容易な施工により断熱することができる。また、基礎断熱体６に雨水等が付着したとしても、当該基礎断熱体６に沿って流下することとなり、基礎断熱体６の施工を容易としつつ、鋼材基礎２と基礎スラブ１とによって構成される基礎の断熱性を長期に亘って維持することができる。【選択図】図１
2012202188.tif 000002
【特許請求の範囲】
【請求項１】
上部構造を受ける鋼材基礎と、
前記鋼材基礎の下方に設けられて当該鋼材基礎を支持するコンクリート製の支持体と、
前記上部構造の外周部を支持する鋼材基礎の外面側及び前記支持体の側部を包囲する基礎断熱体とを備え、
前記基礎断熱体は、
前記支持体の側部を覆う支持体側断熱材と、
前記支持体側断熱材の上方に設けられて前記鋼材基礎の側部を覆う鋼材側断熱材とを備え、
前記支持体側断熱材の上端面は前記支持体の上端面に一致しており、
前記支持体側断熱材の上端面、又は、前記支持体側断熱材の上端面と前記支持体の上端面とに亘って、前記鋼材側断熱材が載置されている
ことを特徴とする基礎構造。
【請求項２】
前記支持体側断熱材の外面と、前記鋼材側断熱材の外面とが同一平面上に位置づけられた状態で前記鋼材側断熱材が前記支持体側断熱材上に載置され、
前記鋼材側断熱材における前記上部構造の外側の面は外装材に覆われており、
前記外装材の下端部は、前記支持体側断熱材の上端部よりも下方の位置まで延設されている
ことを特徴とする請求項１に記載の基礎構造。
【請求項３】
前記支持体側断熱材における前記上部構造の外側の面と、前記鋼材側断熱材における前記上部構造の外側の面とに亘って気密シートが張設されている
ことを特徴とする請求項１又は請求項２に記載の基礎構造。
【発明の詳細な説明】
【技術分野】
【０００１】
本発明は、住宅等の建物の上部構造を支持する基礎構造に関する。
【背景技術】
【０００２】
従来、住宅等の基礎構造として、コンクリート製の基礎スラブの上に鋼材からなる梁を設けたものがある。このような基礎構造として、例えば、特許文献１には、コンクリート製の基礎スラブに鋼材の下部を埋設して当該鋼材を梁として用い、梁の側方に化粧カバーを取り付けた構造が開示されている。また、特許文献２には、コンクリート製の基礎版上に、アンカー部材を介して梁としてのＨ型鋼を固定し、梁の側方に基礎断熱材を取り付けた構造が開示されている。
【先行技術文献】
【特許文献】
【０００３】
【特許文献１】特開２００１−２６２５８６号公報
【特許文献２】特開２００２−３２２６５３号公報
【発明の概要】
【発明が解決しようとする課題】
【０００４】
しかしながら、上記特許文献１に開示された基礎構造は、梁の側方に化粧カバーが設けられているだけであり、梁の内側に位置する住宅の床下と外気との断熱を行うことができない。また、上記特許文献２に開示された基礎構造は、基礎のフーチング部が住宅の床下の位置から、基礎断熱材よりも住宅の外側の位置まで延びていることにより、このフーチング部が冷橋（熱橋）となってしまい、フーチング部上に基礎断熱材が配置されているものの、住宅の床下と外気とを有効に断熱することができないという問題がある。そこで、例えば、フーチング部の外気側となる側面と上面とを断熱材により覆うことが考えられるが、フーチング部の上面を断熱材で覆うと、当該断熱材上に溜まった雨水や霜等の影響により、断熱材の断熱性が低下してしまうことが考えられる。また、断熱材上に塵芥等が堆積することが考えられ、これによっても断熱性を損なってしまうことも考えられる。また、フーチング部の幅は設計によって適宜変更されるものであるので、フーチング部の上面を覆う断熱材を部材化することは困難であり、現場で適宜断熱材を所望の大きさに切り取るという作業が必要となるため、断熱材の施工作業に著しく手間が掛かるという問題もある。
【０００５】
そこで本発明は、このような問題を解決するためになされたものであり、施工を容易としつつ、基礎の断熱性を長期に亘って維持することができる基礎構造を提供することを目的とする。
【課題を解決するための手段】
【０００６】
上記課題を解決すべく、本発明に係る基礎構造は、上部構造を受ける鋼材基礎と、鋼材基礎の下方に設けられて当該鋼材基礎を支持するコンクリート製の支持体と、上部構造の外周部を支持する鋼材基礎の外面側及び支持体の側部を包囲する基礎断熱体とを備え、基礎断熱体は、支持体の側部を覆う支持体側断熱材と、支持体側断熱材の上方に設けられて鋼材基礎の側部を覆う鋼材側断熱材とを備え、支持体側断熱材の上端面は支持体の上端面に一致しており、支持体側断熱材の上端面、又は、支持体側断熱材の上端面と支持体の上端面とに亘って、鋼材側断熱材が載置されていることを特徴とする。
【０００７】
この発明によれば、支持体側断熱材の上端面が、支持体の上端面に一致していることにより、水平面のレベルを複数設ける必要がなくなり、水平面のレベルを容易に設定することができる。
【０００８】
また、基礎断熱体は、支持体の側部を覆う支持体側断熱材の上端部に鋼材側断熱材を載置することで形成されるので、鋼材基礎及び支持体を、外気や地盤等から極めて容易な施工により断熱することができる。また、基礎断熱体は、支持体及び鋼材基礎の側方に立ち上がって設けられることとなるので、基礎断熱体に雨水等が付着したとしても、当該基礎断熱体に沿って流下することとなり、基礎断熱体上に雨水等が長期に亘って滞留することを防止することができる。また、基礎断熱体は立ち上がって設けられているので塵芥等の付着は少なく、たとえ付着したとしても当該雨水等の流下に伴って洗い流されることとなる。従って、基礎断熱体の施工を容易としつつ、鋼材基礎と支持体とによって構成される基礎の断熱性を長期に亘って維持することができる。
【０００９】
また、支持体側断熱材の上端部が支持体の上端面に一致していることにより、鋼材側断熱材が、支持体側断熱材及び支持体の双方の上面に亘って設置される場合であっても、鋼材側断熱材の立ち上がり姿勢を安定的なものとすることができる。また、安定した姿勢で鋼材側断熱材の鋼材基礎に対する出寸法の調整を容易に行うことができる。
【００１０】
また、支持体側断熱材の外面と、鋼材側断熱材の外面とが同一平面上に位置づけられた状態で鋼材側断熱材が支持体側断熱材上に載置され、鋼材側断熱材における上部構造の外側の面は外装材に覆われており、外装材の下端部は、支持体側断熱材の上端部よりも下方の位置まで延設されていることが好ましい。
【００１１】
このように、支持体側断熱材の外側の面と、鋼材側断熱材の外側の面とが同一平面であるため、支持体側断熱材及び鋼材側断熱材の両方の外側の面に亘って、外装材を隙間なく設置することができる。また、支持体側断熱材と鋼材側断熱材とによって形成される断熱性能を有するラインが明確となり、不必要な箇所に断熱材を設置する必要がなくなり、断熱材の厚さ、量の削減を図ることができる。
【００１２】
また、支持体側断熱材における上部構造の外側の面と、鋼材側断熱材における上部構造の外側の面とに亘って気密シートが張設されていることが好ましい。この場合には、気密シートが設けられていることによって、基礎断熱体の防水を確実に行うことができ、雨水等の影響により断熱材の断熱性が低下してしまうことが防止され、基礎の断熱性を長期に亘って維持することができる。
【発明の効果】
【００１３】
本発明によれば、施工を容易としつつ、基礎の断熱性を長期に亘って維持することができる。
【図面の簡単な説明】
【００１４】
【図１】本発明の実施形態に係る基礎構造を示す断面図である。
【図２】図１の建物の梁の接続構造を示す横方向の断面図である。
【図３】図１の建物の梁を設置する様子を示す斜視図である。
【図４】図１の建物の梁が設置された様子を示す斜視図である。
【図５】図１の建物の梁に柱を取り付ける様子を示す斜視図である。
【図６】図１の建物の外装材を保持する取付金具を示す斜視図である。
【図７】図１の建物の外装材の取り付け構造を示す横方向の断面図である。
【図８】実施形態の変形例に係る基礎構造を示す断面図である。
【図９】図８の建物の外装材の取り付け構造を示す横方向の断面図である。
【発明を実施するための形態】
【００１５】
以下、図面を参照しつつ、本発明に係る基礎構造の実施形態について詳細に説明する。なお、図面の説明において同一の要素には同一の符号を付し、重複する説明を省略する。
【００１６】
図１〜図７に本発明の実施形態を示す。図１に示すように、本実施形態の基礎構造は、鉄筋コンクリート製の支持体として形成される基礎スラブ１と、基礎スラブ１の上部にて組み上げられた鋼材基礎２と、基礎スラブ１及び鋼材基礎２の外側の側部に配置された基礎断熱体６とを備えている。
【００１７】
鋼材基礎２は、上部構造としての建物Ａを受けるものである。この建物Ａは、３０５ｍｍの平面モジュールを有する梁勝ち工法による２階建ての鉄骨造の工業化住宅である。但し、この建物Ａの構造は、好適な適用例であって、本発明の適用範囲がこれに限定されるものではない。
【００１８】
図１に示すように、基礎スラブ１は、全面的にベタ基礎形式となっている。なお、基礎スラブ１は、直交する基準線（Ｘ方向基準線、Ｙ方向基準線）の中からそれぞれ複数選択されると共にモジュールの整数倍の間隔となるように設定された通りに対応する所定の幅の範囲について、当該範囲を地反力に対し耐力を発揮しうる基礎梁とみなして鉄筋１２の量が算定されている（図３、図４参照）。基礎スラブ１のうち、これ以外の範囲については、地反力を受ける４辺固定のスラブとみなして鉄筋１２の量が算定されている。
【００１９】
なお、本実施形態ではベタ基礎形式の基礎スラブ１を例示しているが、このようなベタ基礎形式に限定されることはなく、例えば、通りに沿って地耐力に応じた所望の幅を有するフーチング形式とする構成も採用可能である。
【００２０】
また、基礎スラブ１は、敷き詰められた砕石１７上に形成され、その上端面１ａが地盤Ｙの上面の地盤面Ｘより高くなるように形成されている。これによって、地盤面Ｘ上の雨水等が、基礎スラブ１の上面（建物Ａの１階床下空間）へ浸入することが抑制される。
【００２１】
鋼材基礎２は、基礎スラブ１の上端面１ａ上に載置される鋼製の束２０と、束２０に架設される鋼製の梁３０とを備えている。
【００２２】
梁３０として、例えばＨ形鋼（Ｉ形鋼と呼ばれるような形鋼を含む）が用いられる。梁３０の長手方向の両端部には、先端部が折り曲げられてＬ字状に形成されると共にボルト穴が穿設されたガセットプレート３４が溶接により接合されている（図２、図３等参照）。
【００２３】
なお、本実施形態において梁３０とは、通り上に配置されるいわゆる大梁（１階大梁）３０Ａのみならず、建物Ａの１階床を形成する床パネルを支持するために大梁間に架け渡される小梁３０Ｂも含まれる（図３〜図５参照）。なお、小梁３０Ｂは大梁３０Ａと他の小梁３０Ｂとの間に架け渡される場合もある。
【００２４】
また、図１に示すように、梁３０は、互いに平行に配置された平板状の上フランジ３０ａ及び下フランジ３０ｂと、上フランジ３０ａ及び下フランジ３０ｂを連結するウェブ３０ｃとより構成されている。また、図３に示すように、梁３０の上フランジ３０ａ及び下フランジ３０ｂには、建物Ａの１階の柱５０（図５参照）等を接合するためのボルトを挿通するボルト穴３０ｄがモジュールに基づくピッチで等間隔に穿設されている。ボルト穴３０ｄは、平面視で、Ｘ方向基準線及びＹ方向基準線の交点上に位置するよう穿設されている。また、ウェブ３０ｃにも、他の梁３０を接合するためのボルトを挿通するボルト穴３０ｄがモジュールに基づくピッチで等間隔に穿設されている。更に、梁３０のウェブ３０ｃには所定の間隔で大径の穴（一例として、直径１２５ｍｍの穴）３０ｅが穿設されている。
【００２５】
図２〜図４に示すように、梁３０の端部同士を接合する場合、本実施形態ではジョイントボックス３１を用いている。図２に示すように、ジョイントボックス３１は、平面視十字状のウェブ３１ｃの上下端に、正方形の上フランジ３１ａ（図３参照）及び下フランジ３１ｂをそれぞれ溶接することによって形成されている。このジョイントボックス３１に梁３０を接合する場合、梁３０のガセットプレート３４のＬ字状の外側の２面を、ウェブ３１ｃの直交する２面に当接させ、ガセットプレート３４の屈曲部分周囲のボルト穴及びこれに対応するジョイントボックス３１のウェブ３１ｃに設けられたボルト穴にボルトを挿通してボルト接合する。
【００２６】
梁３０を支持する束２０は、基礎スラブ１の上端面１ａから突出するアンカーボルト１９（図１参照）の上端部に接合固定されている。なお、基礎スラブ１には、束２０を設ける位置に、予めアンカーボルト１９が埋設されている。このアンカーボルト１９は、基礎スラブ１を形成する際に倒れこむことがないように、砕石１７上に載置されたＰＣ板１８に取り付けられている。束２０は、建物Ａの１階の柱５０（図５参照）から伝達される荷重を基礎スラブ１に効率よく伝達する役割を有し、少なくとも梁３０上（通り上）に立設される柱５０の直下、及び柱５０が立設されるジョイントボックス３１の直下に設置される。
【００２７】
また、束２０は、特に図１に示すように、互いに平行に配置された上フランジ２０ａ及び下フランジ２０ｂと、上フランジ２０ａ及び下フランジ２０ｂを連結するウェブ２０ｃとより構成されている。ウェブ２０ｃは、横断面が十字状に形成されている。束２０の上フランジ２０ａ及び下フランジ２０ｂには、それぞれボルト穴が穿設されている。束２０の下フランジ２０ｂのボルト穴にアンカーボルト１９の上端部が挿通され、ナット等によって下フランジ２０ｂとアンカーボルト１９とがボルト接合されている。また、束２０及び梁３０は、束２０の上フランジ２０ａのボルト穴と梁３０の下フランジ３０ｂのボルト穴３０ｄとに挿通されたボルトによってボルト接合される。同様に、束２０及びジョイントボックス３１は、束２０の上フランジ２０ａのボルト穴とジョイントボックス３１の下フランジ３１ｂのボルト穴とに挿通されたボルトによってボルト接合される。
【００２８】
また、束２０は、図３に示すように、建物Ａの外周部（即ち、外壁寄りの部分）と内側部（即ち、建物Ａの内部）とに適宜配置される。これらのうち、外周部（外通り）に配置される束２０は、建物Ａの外側においては上フランジ２０ａと下フランジ２０ｂの上下方向の端縁位置が一致し、建物Ａの内側においては下フランジ２０ｂが上フランジ２０ａよりも建物内側に向けて延伸している。即ち、この束２０は、図１に示すように、建物Ａの内側においては、ウェブ２０ｃが上フランジ２０ａの端縁から、延伸する下フランジ２０ｂの端縁にかけて末広がり状に形成された形状（オフセット形状）となっている。また、建物Ａの入隅部及び出隅部においては、外壁に沿った２方向について、下フランジ２０ｂが上フランジ２０ａよりも延伸し、ウェブ２０ｃが上フランジ２０ａの端縁から、延伸する下フランジ２０ｂの端縁にかけて末広がり状に形成された束２０が採用されている（図３参照）。
【００２９】
このようなオフセット形状の束２０を用いることにより、基礎スラブ１のより広い範囲に荷重が分散して伝達され、基礎スラブ１にて構造計算上の基礎梁とみなせる幅を大きくとることができる。
【００３０】
建物Ａは、基礎スラブ１及び鋼材基礎２からなる基礎躯体構造上に設けられており、鋼材基礎２上に立設固定された１階の柱５０（図５参照）と、１階の柱５０の上端を連結するように配置された２階梁と、２階梁上に配置された２階の柱と、Ｒ階大梁と、隣接する２本の柱５０間に設置された耐力要素５１等の部材とが、通りに対応して配置されて基本架構が構成されている。更に、建物Ａにおいては、小梁が適宜架け渡され、各階の梁で支持されるＡＬＣ（Autoclaved  Light-weight  Concrete；軽量気泡コンクリート）からなる床パネルにより各階床が構成され、更に、外周部の梁を利用してＡＬＣ等からなる外壁パネルや開口パネルが取り付けられて外壁が構成されている。特に、図１に示すように、建物Ａの１階の外壁７０は、梁３０の上フランジ３０ａの上面に取り付けられた支持金具８５上に載置され、ボルト等によって支持金具８５に固定される。これにより、建物Ａの１階の外壁７０の最下端の高さ位置は、梁３０の上フランジ３０ａの高さ位置と略一致することとなる。また、梁３０の上フランジ３０ａの上面には、１階の床を構成する床パネル９０が載置されている。
【００３１】
図５に示すように、柱５０は、通りと、通りに直交する基準線との交点に配置され、下端部がジョイントボックス３１又は梁３０の中間部に接合される。これにより、本実施形態の鋼材基礎２の梁３０と柱５０との接合は、各層（本実施形態においては基礎層）で梁同士を連結して平面視にて閉じたフレーム枠体を構成し、当該梁により形成されるフレーム枠体に柱を接合してなる梁勝ち構法が採用されるものとなっている。なお、柱５０及びジョイントボックス３１は、ジョイントボックス３１の上フランジ３１ａのボルト穴と柱５０の下端部に設けられたボルト穴とに挿通されたボルトを用いてボルト接合される。同様に、柱５０及び梁３０は、梁３０の上フランジ３０ａのボルト穴３０ｄと柱５０の下端部に設けられたボルト穴とに挿通されたボルトを用いてボルト接合される。
【００３２】
また、耐力要素５１は、所定の間隔（例示すれば、６１０ｍｍ、９１５ｍｍ等）で配置された２本の柱５０の内側面にボルト接合される。耐力要素５１は例えば筋交い（クロスフレーム）等で構成される。
【００３３】
図１に示すように、基礎断熱体６は、下側断熱材（支持体側断熱材）６３と上側断熱材（鋼材側断熱材）６０とより構成されている。下側断熱材６３は、基礎スラブ１の側部に設けられている。下側断熱材６３の上端は基礎スラブ１の上端面１ａに一致し、下側断熱材６３の下端は基礎スラブ１の下端部まで延びている。ここで、例えば、基礎スラブ１の上端面１ａから下側断熱材６３の上端部が突出している場合には、束２０等の設置作業中に、突出する下側断熱材６３に作業者の足等が当たらないように注意する必要がある。そこで、本実施形態のように、下側断熱材６３の上端を基礎スラブ１の上端面１ａに一致させることにより、基礎スラブ１の上端面１ａから突出する部位がなくなり、作業性を向上させることができる。
【００３４】
また、基礎スラブ１の上端面１ａから下側断熱材６３の上端部が突出している場合には、当該基礎スラブ１の上端面１ａから下側断熱材６３との間に段差を生じることとなり、これらの上部への部材配置が下側断熱材６３の上端部か基礎スラブ１の上端面１ａのいずれかとする必要が生じ、また、設置状態の安定性も悪いものとなる。そこで、これら下側断熱材６３の上端部と基礎スラブ１の上端面１ａとを同一平面状とすることにより、部材配置もこれら下側断熱材６３の上端部と基礎スラブ１の上端面１ａとに亘って設置することができ、部材設置の容易性及び安定性が向上するものとなる。
【００３５】
上側断熱材６０は、上側第一断熱材６１及び上側第二断熱材６２より構成され、下側断熱材６３の上端面と基礎スラブ１の上端面１ａとに亘って載置される。なお、上側第二断熱材６２は、上側第一断熱材６１よりも建物Ａの内側に配置されている。また、上側第一断熱材６１における建物Ａの外側面と、下側断熱材６３における建物Ａの外側面とが略同一面となるように、上側断熱材６０が配置される。上側断熱材６０は、鋼材基礎２の下端から上端の高さまで延びている。なお、下側断熱材６３の上端が基礎スラブ１の上端面１ａに一致していることにより、上側断熱材６０を下側断熱材６３及び基礎スラブ１上に安定して設置することができる。上側第一断熱材６１、上側第二断熱材６２及び下側断熱材６３は、押出法発泡ポリスチレンフォームやフェノールフォーム等のプラスチック系断熱材から形成されている。
【００３６】
また、上側第一断熱材６１と上側第二断熱材６２とは、それぞれ、梁３０の長手方向に沿って敷き並べられ、断熱構造が形成されている。ここで、上側第一断熱材６１同士の継ぎ目と、上側第二断熱材６２同士の継ぎ目とは互いにずれた位置に設けられている。これにより、上側第一断熱材６１の継ぎ目の奥側には上側第二断熱材６２の外側面が位置することとなり、気密性の向上が図られている。
【００３７】
上側断熱材６０及び下側断熱材６３における建物Ａの外側面に、気密シート４５が張設される。気密シート４５の張設は、図示しないピンや接着剤等、適宜の方法を用いて行われる。気密シート４５を設けることにより、上側断熱材６０及び下側断熱材６３に、雨水等が直接、接触することがなくなる。
【００３８】
更に、気密シート４５における建物Ａの外側の面は、外装材４２によって覆われる。外装材４２は、不燃板等からなり、外壁７０の下端から地盤Ｙの地盤面Ｘまでの間を覆う。外装材４２の上端部と外壁７０の下端部との間にはシール材４６が充填されている。さらに、外装材４２の繋ぎ目にもシール材４６が充填される。これにより、外装材４２と外壁７０との継ぎ目、外装材４２同士の繋ぎ目から建物Ａの内側に雨水等が浸入することが防止される。
【００３９】
ここで、外装材４２の梁３０への取り付け構造について説明する。外装材４２は、特に図１及び図７に示すように、梁３０に固定された固定金具１００に取り付けられる。固定金具１００は、図６に示すように、互いに平行に配置された板状の梁固定部１００ａ及び外装材固定部１００ｂと、梁固定部１００ａ及び外装材固定部１００ｂとを連結する板状の連結部１００ｃとより構成される。外装材固定部１００ｂは、外周縁の一部が矩形状に切り欠かれている。連結部１００ｃは、外装材固定部１００ｂにおける切り欠かれた部位の底部と、梁固定部１００ａの側部とを連結している。図１及び図７に示すように、梁固定部１００ａと外装材固定部１００ｂとの間隔（連結部１００ｃの長さ）は、梁３０のウェブ３０ｃにおける建物Ａの外側面から、上側第一断熱材６１における建物Ａの外側面までの長さとなっている。
【００４０】
また、梁固定部１００ａには、ボルト穴１００ｄが３個、穿設されている。ボルト穴１００ｄ同士の間隔は、梁３０のウェブ３０ｃに設けられたボルト穴３０ｄの間隔（図３参照）と一致している。固定金具１００及び梁３０は、固定金具１００の梁固定部１００ａのボルト穴１００ｄと梁３０のウェブ３０ｃのボルト穴３０ｄとに挿通されたボルトによってボルト接合される。
【００４１】
また、外装材固定部１００ｂには、ビス穴１００ｅが設けられている。外装材４２と固定金具１００とは、外装材４２の外側面から、外装材固定部１００ｂのビス穴１００ｅに向けて差し込まれたビス８６によって接合される。なお、外装材４２を固定金具１００に取り付ける場合、予め上側断熱材６０及び下側断熱材６３に気密シート４５を張設した状態で、気密シート４５の外側面に外装材４２を配置し、ビス８６によってビス止めする。外装材４２を固定金具１００に取り付ける際に、気密シート４５のすぐ後ろ側に固定金具１００の外装材固定部１００ｂが位置しているため、ビス８６を差し込む位置が把握し易い。
【００４２】
なお、上側断熱材６０は、建物Ａの内側の面が束２０と、梁３０の下フランジ３０ｂとに当接し、建物Ａの外側の面が固定金具１００の外装材固定部１００ｂ及び外装材４２に当接している。このように、上側断熱材６０は、外装材４２及び固定金具１００の外装材固定部１００ｂと、束２０及び梁３０とに挟み込まれることによって位置が保持されている。
【００４３】
気密シート４５の張設や外装材４２の取り付け後、基礎スラブ１の周囲の土を、外装材４２の下端部の位置まで埋め戻す。
【００４４】
本実施形態は以上のように構成され、下側断熱材６３の上端面が、基礎スラブ１の上端面１ａに一致していることにより、水平面のレベルを複数設ける必要がなくなり、水平面のレベルを容易に設定することができる。仮に、基礎スラブ１の上端面１ａから下側断熱材６３の上端部が突出している場合には、束２０等の設置作業中に、突出する下側断熱材６３に作業者の足等が当たらないように注意する必要がある。これに対し、本実施形態のように、下側断熱材６３の上端面を基礎スラブ１の上端面１ａに一致させることにより、基礎スラブ１の上端面１ａから突出する部位がなくなり、作業性を向上させることができる。
【００４５】
また、基礎断熱体６は、基礎スラブ１の側部を覆う下側断熱材６３の上端部に上側断熱材６０を載置することで形成されるので、鋼材基礎２及び基礎スラブ１を、外気や地盤Ｙ等から極めて容易な施工により断熱することができる。また、基礎断熱体６は、基礎スラブ１及び鋼材基礎２の側方に立ち上がって設けられることとなるので、基礎断熱体６に雨水等が付着したとしても、当該基礎断熱体６に沿って流下することとなり、基礎断熱体６上に雨水等が長期に亘って滞留することを防止することができる。また、基礎断熱体６は立ち上がって設けられているので塵芥等の付着は少なく、たとえ付着したとしても当該雨水等の流下に伴って洗い流されることとなる。従って、基礎断熱体６の施工を容易としつつ、鋼材基礎２と基礎スラブ１とによって構成される基礎の断熱性を長期に亘って維持することができる。
【００４６】
また、下側断熱材６３の上端部が基礎スラブ１の上端面１ａに一致していることにより、上側断熱材６０が、下側断熱材６３及び基礎スラブ１の双方の上面に亘って設置される場合であっても、上側断熱材６０の立ち上がり姿勢を安定的なものとすることができる。また、当該安定した姿勢で上側断熱材６０の鋼材基礎２に対する出寸法の調整を容易に行うことができる。
【００４７】
また、下側断熱材６３の外側の面と、上側断熱材６０の外側の面とが同一平面であるため、下側断熱材６３及び上側断熱材６０の両方の外側の面に亘って、外装材４２を隙間なく設置することができる。また、下側断熱材６３と上側断熱材６０とによって形成される断熱性能を有するラインが明確となり、不必要な箇所に断熱材を設置する必要がなくなり、断熱材の厚さ、量の削減を図ることができる。
【００４８】
また、気密シート４５が設けられていることによって、基礎断熱体６の防水を確実に行うことができ、雨水等の影響により基礎断熱体６の断熱性が低下してしまうことが防止され、基礎スラブ１及び鋼材基礎２によって構成される基礎の断熱性を長期に亘って維持することができる。
【００４９】
次に、外装材４２と梁３０とを固定する構成の変形例について説明する。本変形例は、上記実施形態で説明した固定金具１００の形状が異なるものであり、実施形態と同一構成要素には同一符号を付して説明を省略し、実施形態の構成と異なる箇所を中心に説明する。図８及び図９に示すように、外装材４２がビス止めされる固定金具１００Ａは、梁３０に固定される梁固定部１００ａと、外装材４２がビス止めされる外装材固定部１００ｂと、梁固定部１００ａ及び外装材固定部１００ｂを連結する連結部１００ｆとより構成される。梁固定部１００ａと外装材固定部１００ｂとの間隔（連結部１００ｆの長さ）は、梁３０のウェブ３０ｃにおける建物Ａの外側面から、上側第二断熱材６２における建物Ａの内側面までの長さとなっている。外装材４２は、外装材４２の外側面から気密シート４５及び上側断熱材６０を貫通して、外装材固定部１００ｂのビス穴１００ｅに向けて差し込まれたビス８６によって固定金具１００Ａに固定される。
【００５０】
本変形例においても、基礎断熱体６の施工を容易としつつ、鋼材基礎２と基礎スラブ１とによって構成される基礎の断熱性を長期に亘って維持することができる等、上記の実施形態と同様の効果を奏する。特に、固定金具１００Ａが基礎断熱体６よりも、建物Ａの内側に設けられていることにより、固定金具１００Ａが基礎断熱体６の内側と外側とを連結する熱橋の役割をすることがない。従って、鋼材基礎２と基礎スラブ１とによって構成される基礎と、外気や地盤Ｙとをより確実に断熱することができる。
【００５１】
なお、実施形態及び変形例において、上側断熱材６０の厚みが薄い場合には、上側断熱材６０を下側断熱材６３の上端面にのみ載置することもできる。
【符号の説明】
【００５２】
１…基礎スラブ（支持体）、２…鋼材基礎、６…基礎断熱体、２０…束、３０…梁、４２…外装材、４５…気密シート、６０…上側断熱材（鋼材側断熱材）、６３…下側断熱材（支持体側断熱材）。
【図１】
2012202188.tif 000003
【図２】
2012202188.tif 000004
【図５】
2012202188.tif 000005
【図６】
2012202188.tif 000006
【図７】
2012202188.tif 000007
【図８】
2012202188.tif 000008
【図９】
2012202188.tif 000009
【図３】
2012202188.tif 000010
【図４】
2012202188.tif 000011